(57)【要約】      （修正有）【課題】視覚、嗅覚、触覚、聴覚、味覚、俊敏性、跳躍力などのネズミの五感ならびに身体能力を利用したネズミ捕獲器を提供する。【解決手段】トンネル筒体２０と粘着シート３０と物音発生装置４０とで構成され、粘着シート３０の易剥離性接着層３２をトンネル筒体２０の内壁部に形成される貼付突起リブ２４に貼着し、トンネル筒体２０内に侵入してきたネズミＲの身体の一部が物音発生装置４０に接触し、トンネル筒体２０の内壁面に貼着されている粘着シート３０で粘着させて絡み取るネズミ捕獲器１０。【選択図】図１
2014180219.tif 000002
【特許請求の範囲】
【請求項１】
トンネル筒体と、粘着シートと、物音発生装置と、で構成されるネズミ捕獲器であって、
前記トンネル筒体は、入口部が開口され、最奥部が塞閉される所要の長さを有するトンネル状の筒体を形成し、外周部には取手部を形成すると共に、内壁部には貼付突起リブを形成して成り、
前記粘着シートは、剥離フィルムと、易剥離性接着層と、粘着層と、剥離フィルムと、で積層し、易剥離性接着層を前記トンネル筒体の内壁部に形成される貼付突起リブに貼着すると共に、粘着層の全領域には一部が連なった状態で分断される切れ目スリットを設け、さらに該粘着層の天面領域には長手方向に延設する短冊状の切れ目スリットによって形成される襞部を設けて成り、
前記物音発生装置は、前記トンネル筒体の最奥部付近に設けられ、ネズミの身体の一部が接触することによって物音が発生する構造を有して形成されることを特徴とするネズミ捕獲器。
【請求項２】
前記トンネル筒体が、入口部から最奥部に向かってテーパ状に縮形する形状に形成されることを特徴とする請求項１記載のネズミ捕獲器。
【請求項３】
前記トンネル筒体が、入口部から最奥部に向かって屈曲または蛇行する形状に形成されることを特徴とする請求項１または請求項２記載のネズミ捕獲器。
【請求項４】
前記トンネル筒体の最奥部が、塞閉蓋板によって開閉されることを特徴とする請求項１から請求項３の何れか記載のネズミ捕獲器。
【発明の詳細な説明】
【技術分野】
【０００１】
本発明は、視覚、嗅覚、触覚、聴覚、味覚、俊敏性、跳躍力などのネズミの五感ならびに身体能力を利用して、トンネル筒体の内壁部に貼付された粘着シートによってネズミを捕獲するネズミ捕獲器に関する。
【背景技術】
【０００２】
従来のネズミを捕獲する手段としては、金網でできた捕獲籠に餌を吊るしてネズミを籠内に誘引して捕獲する金籠型と、板紙で組み立てられた箱型のボックスに粘着シートを敷設してネズミを捕獲する組立式ボックス型と、光センサ―等の電気的捕獲手段を用いたセンサ―感知型と、板状のシート材に粘着層を貼り付けて捕獲する粘着シート型など、多種多様の捕獲器によって捕獲されている。
【０００３】
しかしながら上記の金籠型のネズミ捕獲器は、ネズミが生きている状態で捕獲されるため、捕獲器を回収する際にはネズミを殺生処分しなければならず、殺生行為などの後味の悪い廃棄処理作業を必要とするものであった。また、組立式ボックス型のネズミ捕獲器は、ネズミ捕獲器の底面に粘着シートが敷設される構造から、視覚、嗅覚、触覚、聴覚、味覚に優れたネズミが底面に敷設された粘着シートに警戒心を抱いて捕獲確率が低くなる傾向に成りがちといった問題があり、光センサ―を用いたセンサ―感知型のネズミ捕獲器は、捕獲器自体が高価なものである上、使用時に電力を使用することで維持費や装置のメンテナンスを必要とするという問題があり、さらに粘着シート型のネズミ捕獲器は、俊敏性、跳躍力（２ｍ近くのジャンプ力がある）が優れたネズミを捕獲するに多量の粘着シートを広いスペース一面に敷設する必要があるため、作業工数の増大やコスト高を招くといった問題があることから、従来よりそれらの問題点を解決しようとするネズミ捕獲器の提案がなされている。
【０００４】
上記の金籠型のねずみ捕獲器に関する提案は、例えば、ねずみ出入口の開口部に開閉蓋を設けた捕獲籠と、該捕獲籠内に吊設されて該開閉蓋と係合可能にした餌付部から成り、該餌付部の動きによって開放係止姿勢の前記開閉蓋を、ばねの付勢力によって閉鎖可能にした「ねずみ取り器」（特許文献１）が公知技術となっている。
【０００５】
しかしながら、係る「ねずみ取り器」の提案は、捕獲籠の底部近傍の側壁に、該捕獲籠内と連通すると共に、ねずみ進入可能の中空部を有する取出管を備え、該取出管は管外からの操作のみによって開閉する開閉ゲート板を有して該中空部が開放・閉鎖自在にして、かつ、捕獲袋を先端に連結可能にした構造を有するねずみ取り器であるが、ねずみが生きている状態で捕獲されるため、廃棄時にはねずみを殺生処分しなければならず、殺生行為などの後味の悪い廃棄処分作業を必要とするという問題や、使い回しによる衛生上の問題、商品単価ならびに運搬性や保管性に難があるといった問題があった。
【０００６】
また、組立式ボックス型のねずみ捕獲器に関する提案は、例えば、安定かつ均一な品質を有する各種の誘引成分を準備でき、及び誘引成分の機能を有効に発揮できる餌の代用品として用いることができる「ねずみの捕獲誘引材及びねずみの誘引捕獲方法」（特許文献２）が公知技術となっている。
【０００７】
しかしながら、係る「ねずみの捕獲誘引材及びねずみの誘引捕獲方法」の提案は、少なくとも１つ以上の香気性調合フレーバーからなる誘引成分を担持体に保持し、食餌の代用物として使用することができることと、上記に記載の捕獲誘引材を、粘着型捕獲器の内部に設置し、捕獲誘引材の香気で誘い、進入したねずみを粘着剤層で捕獲することができるねずみの誘引捕獲方法であるが、粘着型捕獲器の底面に粘着剤層が設けられる構造であることから、視覚、嗅覚、触覚、聴覚、味覚に優れたねずみに底面の材質の変化に警戒心を抱く構造であって、捕獲確率が低いといった問題があった。
【０００８】
また、光センサ―を用いたセンサ―感知型のネズミ捕獲器に関する提案は、例えば、トンネル構造の床を設け２個のセンサ―を用いたり、エアコンプレッサ−等も使用しており大型設備で，場所と多額な費用が必要になり一般家庭には不向きであるという問題点を解決した「光センサ―を用いたネズミ捕獲器」（特許文献３）が公知技術となっている。
【０００９】
しかしながら、係る「光センサ―を用いたネズミ捕獲器」の提案は、捕獲箱の一側面に開閉可能なシャッタ−を設けた密閉可能な箱状のネズミ捕獲器であって、捕獲箱の上面に赤外線の変化を感知して作動する光センサ―を置きネズミが捕獲箱にはいると餌を食べなくても電源が入り、捕獲器入口のシャッタ―が瞬時に閉じる駆動部とからなる光センサ―を用いたネズミ捕獲器であるが、捕獲器自体が電気的制御設備を備えて高価なものである上、使用時に電力を使用することで維持費や装置のメンテナンスを必要とするといった問題があった。
【００１０】
また、粘着シート型のネズミ捕獲器に関する提案は、例えば、効率よくネズミを捕獲することができる「ネズミ捕獲用粘着シート」（特許文献４）が公知技術となっている。
【００１１】
しかしながら、係る「ネズミ捕獲用粘着シート」の提案は、シート上面に粘着層が形成されたネズミ捕獲用粘着シートであって、この粘着層を、黒系統に属する色の粘着材によって構成することによって、粘着シートが反射する光を抑えることができるのでネズミに警戒心を抱かせず、この結果、ネズミはためらいなく粘着シートに近づき、やがて捕獲されるという技術手段であるが、俊敏性、跳躍力（２ｍ近くのジャンプ力がある）が優れたネズミを捕獲するには多量の粘着シートを広いスペース一面に敷き占める必要があるため、作業工数の増大やコスト高を招くといった問題があった。
【００１２】
以上のように従来のネズミ捕獲器の提案は、捕獲確率が低いネズミ捕獲器であったり、一匹のネズミを捕獲するのに必要以上の大きさの占有スペースを有する捕獲構造であったり、視覚的にネズミの死骸を視認せざるをえない構造であることから、それらの問題点を解決することができるネズミ捕獲器の提供が望まれる所ではあるが、それらの問題点を解決することができる本出願人による視覚、嗅覚、触覚、聴覚、味覚、俊敏性、跳躍力などのネズミの五感ならびに身体能力を利用してトンネル筒体の内壁部に貼付された粘着シートによってネズミを捕獲することができるネズミ捕獲器は、本出願人が知るところでは未だ見当たらない。
【００１３】
本出願人は、ネズミが視覚、嗅覚、触覚、聴覚、味覚に優れ、さらに俊敏性、跳躍力（２ｍ近くのジャンプ力がある）が優れている点に着目し、その五感ならびに身体能力を逆に利用して捕獲できないものかとの着想の下、上記における視覚、嗅覚、触覚、聴覚、味覚、俊敏性、跳躍力などのネズミの五感ならびに身体能力を利用して、トンネル筒体の内壁部に貼付された粘着シートによってネズミを捕獲するネズミ捕獲器を開発し、本出願における「ネズミ捕獲器」の提案に至るものである。
【先行技術文献】
【特許文献】
【００１４】
【特許文献１】特開２００２-３３０６８８号公報
【特許文献２】特開２００２-１７２３２号公報
【特許文献３】実用新案登録第３１００００８号公報
【特許文献４】実用新案登録第３０６６９６１号公報
【発明の概要】
【発明が解決しようとする課題】
【００１５】
本発明は上記問題点に鑑み、視覚、嗅覚、触覚、聴覚、味覚、俊敏性、跳躍力などのネズミの五感ならびに身体能力を利用して、トンネル筒体の内壁部に貼付された粘着シートによってネズミを捕獲するネズミ捕獲器の提供を図ることを課題とする。
【課題を解決するための手段】
【００１６】
本発明は上記課題を解決するためになされるもので、トンネル筒体と、粘着シートと、物音発生装置と、で構成されるネズミ捕獲器であって、前記トンネル筒体は、入口部が開口され、最奥部が塞閉される所要の長さを有するトンネル状の筒体を形成し、外周部には取手部を形成すると共に、内壁部には貼付突起リブを形成して成り、前記粘着シートは、剥離フィルムと、易剥離性接着層と、粘着層と、剥離フィルムと、で積層し、易剥離性接着層を前記トンネル筒体の内壁部に形成される貼付突起リブに貼着すると共に、粘着層の全領域には一部が連なった状態で分断される切れ目スリットを設け、さらに該粘着層の天面領域には短冊状の切れ目スリットよって形成される襞部を設けて成り、前記物音発生装置は、前記トンネル筒体の最奥部付近に設けられ、ネズミの身体の一部が接触することによって物音が発生する構造を有して形成される手段を採用する。
【００１７】
また本発明は、前記トンネル筒体が、入口部から最奥部に向かってテーパ状に縮形する形状に形成される手段を採用する。
【００１８】
また本発明は、前記トンネル筒体が、入口部から最奥部に向かって屈曲または蛇行する形状に形成される手段を採用する。
【００１９】
また本発明は、前記トンネル筒体の最奥部が、塞閉蓋板によって開閉される手段を採用する。
【発明の効果】
【００２０】
本発明におけるネズミ捕獲器によれば、トンネル筒体の底面部を省略したトンネル形状にすることによって、捕獲されるネズミが通ってきた床面と同じ状態でネズミ捕獲器にネズミを誘導することができることから、視覚、嗅覚、触覚、聴覚、味覚に優れたネズミに警戒心を抱かせないことで、従来に増して高い確率でネズミを捕獲することができるといった優れた効果を奏する。
【００２１】
また本発明におけるネズミ捕獲器によれば、故意に障害物を置いたり、トンネル筒体の形状や配置方法を変えることによってネズミが出没しそうな箇所や状況に合わせて配置できることから、従来に増して高い確率でネズミを捕獲することができるといった優れた効果を奏する。
【００２２】
また本発明におけるネズミ捕獲器によれば、捕獲されたネズミが粘着シートでネズミ全体が絡み取られる手段を採用しているため、ネズミの死骸を直接視認することなく生ゴミとして廃棄処分することができるといった優れた効果を奏する。
【００２３】
また本発明におけるネズミ捕獲器によれば、トンネル筒体と粘着シートと物音発生装置とで構成されるネズミ捕獲器であるため、軽量で持ち運びが容易である上、簡単に設置することができ、さらに製造原価が安価であることから家庭用ならびに業務用として繰り返し使用できるといった優れた効果を奏する。
【図面の簡単な説明】
【００２４】
【図１】本発明における請求項１記載のネズミ捕獲器を示す説明図である。（実施例１）
【図２】本発明における請求項２記載のネズミ捕獲器を示す説明図である。（実施例２）
【図３】本発明における請求項２記載のネズミ捕獲器の捕獲状態を示す説明図である。
【図４】本発明における請求項３記載のネズミ捕獲器を示す説明図である。（実施例３）
【図５】本発明における請求項４記載のネズミ捕獲器を示す説明図である。（実施例４）
【発明を実施するための形態】
【００２５】
本発明のネズミ捕獲器１０は、ネズミＲを誘導するトンネル筒体２０と、ネズミＲを粘着させて捕獲する粘着シート３０と、ネズミＲを驚かせる物音発生装置４０と、で構成し、従来の底面に敷設される粘着シートを取り除いてネズミＲの警戒心を解くと共に、物音発生装置４０にネズミＲの身体の一部が接触することによって物音を発生させてネズミＲを驚かせて、壁部に貼付された粘着シート３３によって侵入するネズミＲを絡み取る手段を採ったことを最大の特徴とするものである。以下、本発明におけるネズミ捕獲器１０の実施形態を、図面に基づいて説明する。
【００２６】
なお、本発明におけるネズミ捕獲器１０の材質ならび形状及び寸法等は、下記に述べる実施例に限定されるものではなく、本発明の技術的思想の範囲内、すなわち同一の作用効果を発揮できる材質ならびに形状及び寸法の範囲内で、適宜変更することができる。
【実施例１】
【００２７】
.
図１は、本発明における請求項１記載のネズミ捕獲器を示す説明図であり、図１（ａ）はネズミ捕獲器１０の全体斜視図、図１（ｂ）はネズミ捕獲器１０の断面説明図である。
本発明のネズミ捕獲器１０は、トンネル筒体２０と、粘着シート３０と、物音発生装置４０と、で構成されるネズミ捕獲器１０であって、トンネル筒体２０は、入口部２１が開口され、最奥部２２が塞閉される所要の長さを有するトンネル状の筒体を形成し、外周部には取手部２３を形成すると共に、内壁部には貼付突起リブ２４を形成して成り、粘着シート３０は、剥離フィルム３１と、易剥離性接着層３２と、粘着層３３と、剥離フィルム３４と、で積層し、易剥離性接着層３２をトンネル筒体２０の内壁部に形成される貼付突起リブ２４に貼着すると共に、粘着層３３の全領域には一部が連なった状態で分断される切れ目スリット３５を設け、さらに該粘着層３３の天面領域には長手方向に延設する短冊状の切れ目スリット３５ａによって形成される襞部３６を設けて成り、物音発生装置４０は、トンネル筒体２０の最奥部２２付近に設けられ、ネズミＲの身体の一部が接触することによって物音が発生する構造を有して形成される。
【００２８】
トンネル筒体２０は、合成樹脂素材、厚板紙、パルプモールド素材、生分解性素材、金属板等で成形加工され、入口部２１が常時開口すると共に最奥部２２が塞閉され、ネズミＲがすっぽり入る所要長さを有するトンネル状の筒体を形成し、外周部には持ち運びならびにセット用の取手部２３が形成されている。また内壁部には、粘着シート３０が容易に剥がれる状態で貼着可能な貼付突起リブ２４が形成されている。
【００２９】
入口部２１は、ネズミＲがトンネル筒体２０に侵入する入口で、ネズミＲの大きさの二倍くらいの大きさを有して常時開口している。
【００３０】
最奥部２２は、トンネル筒体２０と一体成型されて塞閉される袋小路となっている箇所で、ネズミＲが入口部２１以外から侵入することを阻止する目的で設けられる。
【００３１】
貼付突起リブ２４は、トンネル筒体２０の内壁部に形成される凸状の突起部で、粘着シート３０の易剥離性接着層３２を貼設する目的で設けられる。凸状の突起部とすることで易剥離性接着層３２の貼付面積を少なくすることができるため、ネズミＲが粘着シート３０の粘着層３３に貼り付いた時、トンネル筒体２０の内壁部から粘着シート３０の易剥離性接着層３２が簡単に剥がれ易くなる。
【００３２】
粘着シート３０は、剥離フィルム３１と、易剥離性接着層３２と、粘着層３３と、剥離フィルム３４と、で積層されて形成され、該粘着層３３には一部が連なった状態で分断する切れ目スリット３５が設けられて成り、トンネル筒体２０の内壁部に形成される貼付突起リブ２４に易剥離性接着層３２側を貼着することで、該トンネル筒体２０内に装着される。
【００３３】
切れ目スリット３５は、粘着層３３の一部が連なる状態で分断して、捕獲されたネズミＲに粘着シート３０の粘着層３３が粘着して絡み付く形状に形成されるもので、天面領域には切れ目スリット３５ａによって形成される短冊状に垂れ下がる襞部３６を有し、側面部に位置する部分は方形に剥がされてネズミＲの身体の一部に粘着して絡み付ける目的で設けられる。
【００３４】
襞部３６は、粘着層３３の一部が連なる状態で分断して、捕獲されたネズミＲに粘着シート３０の粘着層３３が粘着して絡み付く形状に形成されるもので、天面領域において切れ目スリット３５ａによって短冊状に垂れ下がる形状で形成される。
また、襞部３６の長さ形状は、トンネル筒体２０の最奥部２２に行くに従って徐々に長くしたり、トンネル筒体２０の侵入経路途中に障害物Ｓを置くなどしてネズミＲとの距離を縮めることによって、捕獲確率上げることができる。
【００３５】
物音発生装置４０は、トンネル筒体２０の最奥部２２付近に設けられ、ネズミＲの身体の一部が接触することによって物音が発生する構造を有して形成されるもので、例えば、連結吊持奸４３のフック状の上端部に鈴４１を吊持し、該下端部にトンネル筒体２０に設けられる連通穴２７に係止されるコマ部４２を設け、さらに該コマ部４２に連結される吊餌棒４４を設けて、ネズミＲの身体の一部が餌Ｅまたは吊餌棒４４に接触することによって鈴４１が揺れて鈴音が発生する構造で形成される。
【００３６】
また物音発生装置４０は、鈴４１をトンネル筒体２０の内壁部の上部から暖簾状に垂れ下げる手段や、ひも付きの鈴４１を床面に散らして配置するなどのその他の物音発生手段が考えられるが、ネズミＲの身体の一部が接触することによって物音が発生するものであれば特にその構造ならびに手段を特定するものではない。
【００３７】
以上で構成される本発明のネズミ捕獲器１０は、捕獲収納器内にネズミＲを誘い込んで床面に敷設された粘着シートで捕獲する従来の手段とは異なり、トンネル筒体２０内の底面の構造をネズミＲが通って来た床面Ｆと同じくしてトンネル筒体２０内に誘導し、侵入してきたネズミＲの身体の一部を粘着シート３０若しくは物音発生装置４０に接触させることで、ネズミＲをトンネル筒体２０の内壁面に貼着されている粘着シート３０で粘着させて絡み取るもので、従来の底面に粘着シートを敷設したネズミ捕獲器とはその誘引手段と捕獲構造を大きく異にする。
【実施例２】
【００３８】
図２は、本発明における請求項２記載のネズミ捕獲器を示す説明図であり、図２（ａ）はネズミ捕獲器１０の全体図、図２（ｂ）はネズミ捕獲器１０の分解斜視図である。
本発明におけるネズミ捕獲器１０は、トンネル筒体２０が入口部２１から最奥部２２に向かってテーパ状に縮形する形状に形成される
【００３９】
トンネル筒体２０は、合成樹脂素材、厚板紙、パルプモールド素材、生分解性素材、金属板等で成形加工され、入口部２１が常時開口すると共に最奥部２２が塞閉され、ネズミＲがすっぽり入る所要長さを有するトンネル状の筒体を形成し、外周部には持ち運びならびにセット用の取手部２３が形成されている。また内壁部には、粘着シート３０が容易に剥がれる状態で貼着可能な貼付突起リブ２４が形成されている。
【００４０】
襞部３６は、粘着層３３の一部が連なる状態で分断して、捕獲されたネズミＲに粘着シート３０の粘着層３３が粘着して絡み付く形状に形成されるもので、天面領域において切れ目スリット３５ａによって短冊状に垂れ下がる形状で形成される。
【００４１】
以上で構成される本発明のネズミ捕獲器１０は、トンネル筒体２０がテーパ状に縮形することで、トンネル筒体２０の内壁面に貼着されている粘着層３３とネズミＲの身体の距離が縮まることとなって、従来に増して高い確率でネズミＲを捕獲することができる。
【００４２】
図３は、本発明における請求項２記載のネズミ捕獲器の捕獲状態を示す説明図である。
本発明におけるネズミ捕獲器１０の捕獲状況を順を追って説明する。
図３（ａ）の捕獲状況を説明する。
（１）粘着シート３０の易剥離性接着層３２を覆っている剥離フィルム３１を剥がし、トンネル筒体２０の内壁部の貼付突起リブ２４に貼設する。
（２）粘着シート３０の易剥離性接着層３２をトンネル筒体２０の内壁部に貼設した状態で、剥離フィルム３４を剥がし、さらに粘着層３３の天面領域に設けられる短冊状に垂れ下がる襞部３６を切れ目スリット３５ａに沿って引き剥がす。
（３）物音発生装置４０の吊餌棒４４に餌Ｅを取り付け、トンネル筒体２０の取手部２３を持ってネズミ捕獲器１０を所定の場所にセットする。
（４）トンネル筒体２０の入口部２１からネズミＲが侵入してくる。
【００４３】
図３（ｂ）の捕獲状況を説明する。
（５）ネズミＲがトンネル筒体２０の最奥部２２にある餌Ｅに向かってトンネル筒体２０内を侵入して行き、ネズミＲの身体の一部がトンネル筒体２０の内壁部に貼設された粘着層３３の一部または短冊状に垂れ下がる襞部３６に触れた場合、粘着シート３０がネズミＲの身体の一部に粘着して絡み付いた状態で捕獲される。なお図示されるように、トンネル筒体２０の侵入経路途中に障害物Ｓを置くと、捕獲率が倍増する。
（６）ネズミＲがトンネル筒体２０の最奥部２２まで侵入した場合、餌Ｅまたは吊餌棒４４に接触することによって、鈴４１が揺れて鈴音が発生する。
【００４４】
図３（ｃ）の捕獲状況を説明する。
（７）物音発生装置４０の鈴４１の鈴音が発生すると、その音にネズミＲが驚いて逃走行動を取ろうと急激に体勢を入れ替えようとすることによって、ネズミＲの身体の一部がトンネル筒体２０の内壁部に貼設された粘着シート３０に接触して絡み付く。
（８）粘着シート３０がネズミＲの身体に次々と絡んで捕獲される。
（９）ネズミＲを包んでいる粘着シート３０を丸ごと生ゴミとして廃棄処分する。
【００４５】
以上で構成される本発明のネズミ捕獲器１０は、トンネル筒体２０の底面に粘着シート３０が設けられていない構造であることから、視覚、嗅覚、触覚、聴覚、味覚に敏感なネズミＲに警戒心を抱かせることなくトンネル筒体２０内に誘導して捕獲することができることから、従来に増して高い確率でネズミＲを捕獲することができる。
【００４６】
図４は、本発明における請求項３記載のネズミ捕獲器を示す説明図である。
本発明におけるネズミ捕獲器１０は、トンネル筒体２０が入口部２１から最奥部２２にかけて屈曲または蛇行する形状に形成される。
【００４７】
図４（ａ）はトンネル筒体２０が屈曲した形態のネズミ捕獲器１０の平面図、図４（ｂ）はトンネル筒体２０が蛇行した形態のネズミ捕獲器１０の平面図である。
トンネル筒体２０が屈曲または蛇行していることによって、ネズミＲの身体の一部がトンネル筒体２０の内壁部に貼設された粘着シート３０に接触して捕獲される確率が高くなると共に、物音発生装置４０の鈴４１の鈴音が発生すると、その音にネズミＲが驚いて逃走行動を取ろうと急激に体勢を入れ替えようとする時、ネズミＲの身体の一部がトンネル筒体２０の内壁部に貼設された粘着シート３０または短冊状に垂れ下がる襞部３６に触れることによって、従来に増して高い確率でネズミＲを捕獲することができる。
【００４８】
図５は、本発明における請求項４記載のネズミ捕獲器を示す説明図であり、図５（ａ）はネズミ捕獲器１０の単体の全体斜視図、図５（ｂ）はネズミ捕獲器１０を対向させて連通した状態を示す断面説明図である。
本発明におけるネズミ捕獲器１０は、トンネル筒体２０の最奥部２２が塞閉蓋板２５によって開閉できる構造で形成される。
【００４９】
塞閉蓋板２５は、トンネル筒体２０の最奥部２２の端部に嵌め込まれる嵌め込み溝２６を形成することで、トンネル筒体２０の最奥部２２を開閉可能にするものである。
【００５０】
以上で構成される本発明のネズミ捕獲器１０は、トンネル筒体２０の最奥部２２の端部から塞閉蓋板２５を取り外すことによって、トンネル筒体２０の入口部２１と最奥部２２が連通状態となり、さらにネズミ捕獲器１０の最奥部２２同士を対向させてネズミＲの移動導線上に配置して両方向からのネズミＲの侵入を可能にすると共に、侵入経路途中に障害物Ｓを配置することによって、従来に増して高い確率でネズミＲを捕獲することができる。
【産業上の利用可能性】
【００５１】
本発明のネズミ捕獲器は、ネズミの駆除を目的とした捕獲装置として説明しているが、視覚、嗅覚、触覚、聴覚、味覚に敏感な野生害獣の捕獲装置として幅広く利用することができることから、本発明の「ネズミ捕獲器」の産業上の利用可能性は大であると解する。
【符号の説明】
【００５２】
１０    ネズミ捕獲器
２０    トンネル筒体
２１    入口部
２２    最奥部
２３    取手部
２４    貼付突起リブ
２５    塞閉蓋板
２６    嵌め込み溝
２７    連通穴
３０    粘着シート
３１    剥離フィルム
３２    易剥離性接着層
３３    粘着層
３４    剥離フィルム
３５    切れ目スリット
３５ａ  短冊状の切れ目スリット
３６    襞部
４０    物音発生装置
４１    鈴
４２    コマ部
４３    連結吊持奸
４４    吊餌棒
Ｒ    ネズミ
Ｆ    床面
Ｅ    餌
Ｓ    障害物
【図１】
2014180219.tif 000003
【図２】
2014180219.tif 000004
【図３】
2014180219.tif 000005
【図４】
2014180219.tif 000006
【図５】
2014180219.tif 000007